(57)【要約】【課題】面内における透過率を漸次変化させ、面内において明暗のグラデーションを付すことが可能な調光フィルムを提供する。【解決手段】本発明の調光フィルム１０は、互いに対向配置された第１の電距極２２Ａと第２の電距極２２Ｂと、前記第１の電距極２２Ａに設けられるとともに、前記第１の電距極２２Ａと前記第２の電距極２２Ｂとの間に電圧を加える給電部２０Ａと、前記第１の電距極２２Ａと前記第２の電距極２２Ｂとの間に配置され、前記第１の電距極２２Ａと前記第２の電距極２２Ｂとの間に加えられた前記電圧によって透過率を変化させる調光材料１４と、を備え、前記給電部２０Ａと異なる位置において、前記第１の電距極２２Ａと前記第２の電距極２２Ｂとが電気的に接続されている。【選択図】図３
2017227675.tif 000002
【特許請求の範囲】
【請求項１】
互いに対向配置された第１の電極と第２の電極と、
前記第１の電極に設けられるとともに、前記第１の電極と前記第２の電極との間に電圧を加える給電部と、
前記第１の電極と前記第２の電極との間に配置され、前記第１の電極と前記第２の電極との間に加えられた前記電圧によって透過率を変化させる調光材料と、を備え、
前記給電部と異なる位置において、前記第１の電極と前記第２の電極とが電気的に接続されている、調光フィルム。
【請求項２】
請求項１に記載の調光フィルムであって、
前記第１の電極と前記第２の電極との間には抵抗部材が配置されている、調光フィルム。
【請求項３】
請求項２に記載の調光フィルムであって、
前記抵抗部材の抵抗値が可変である、調光フィルム。
【請求項４】
請求項１から３のいずれか１項に記載の調光フィルムであって、
前記第１の電極の一端側に前記給電部が設けられ、前記第１の電極の他端側と、前記第２の電極の他端側とが電気的に接続されている、調光フィルム。
【請求項５】
請求項１から４のいずれか１項に記載の調光フィルムであって、
前記給電部は、複数個所に設けられている、調光フィルム。
【請求項６】
請求項１から５のいずれか１項に記載の調光フィルムであって、
前記第１の電極と前記第２の電極とは、前記給電部と異なる複数個所において電気的に接続されている、調光フィルム。
【発明の詳細な説明】
【技術分野】
【０００１】
本発明は、例えば窓に貼り付けて外来光の透過を制御する電子ブラインドに利用可能な調光フィルムに関する。
【背景技術】
【０００２】
従来、例えば窓に貼り付けて外来光の透過を制御する電子ブラインド等に利用可能な調光フィルムが提案されている（特許文献１、２）。このような調光フィルムの１つに、液晶を利用したものがある。
液晶を利用した調光フィルムは、透明電極を含む透明板材により液晶材料を挟持して液晶セルが製造され、この液晶セルを直線偏光板により挟持して作成される。この調光フィルムは、透明電極間に印加する電界を変化させることにより液晶の配向を変化させ、外来光の透過量を制御する。
【０００３】
従来、このような調光フィルムにおいて透明電極間に電圧を加えると、その電圧に応じて透過率が変化するが、調光フィルムの面内における透過率は略一定となっている。
【先行技術文献】
【特許文献】
【０００４】
【特許文献１】特開平０３−４７３９２号公報
【特許文献２】特開平０８−１８４２７３号公報
【発明の概要】
【発明が解決しようとする課題】
【０００５】
しかし、近年、調光フィルムの用途が多様化し、面内における透過率を漸次変化させ、面内において明暗のグラデーションを付すことが可能な調光フィルムに対する要望がある。
本発明はこのような状況に鑑みてなされたものであり、面内における透過率を漸次変化させ、面内において明暗のグラデーションを付すことが可能な調光フィルムを提供することを目的とする。
【課題を解決するための手段】
【０００６】
具体的には、本発明では、以下のようなものを提供する。
（１）互いに対向配置された第１の電極と第２の電極と、
前記第１の電極に設けられるとともに、前記第１の電極と前記第２の電極互いとの間に電圧を加える給電部が設けられた２枚の電極と、
前記第１の電極と前記第２の電極との間に配置され、前記第１の電極と前記第２の電極との前記電極間に加えられた前記電圧によって透過率を変化させる調光材料と、を備え、
前記給電部と異なる位置において、前記第１の電極と前記第２の電極と電極間が電気的に接続されている、調光フィルム。
【０００７】
（２）  （１）において、前記第１の電極と前記第２の電極との電極間には抵抗部材が配置されている、調光フィルム。
【０００８】
（３）  （２）において、前記抵抗部材の抵抗値が可変である、調光フィルム。
【０００９】
（４）  （１）から（３）において、前記第１の電極の一端側に前記給電部が設けられ、前記第１の電極の他端側と、前記第２の電極の他端側とにおいて前記電極間が電気的に接続されている、調光フィルム。
【００１０】
（５）  （１）から（４）において、前記給電部は、複数個所に設けられている、調光フィルム。
【００１１】
（６）  （１）から（５）において、前記第１の電極と前記第２の電極と電極間は、前記給電部と異なる複数個所において電気的に接続されている、調光フィルム。
【発明の効果】
【００１２】
本発明によれば、面内における透過率を漸次変化させ、面内において明暗のグラデーションを付すことが可能な調光フィルムを提供することができる。
【図面の簡単な説明】
【００１３】
【図１】調光フィルムを示す断面図である。
【図２】調光フィルムの製造工程を示すフローチャートである。
【図３】電極間に加える電圧を説明する図である。
【図４】第２電極及び第１電極の電位の状態を示す。
【図５】調光フィルムの透過率と、電位差との関係を示したグラフである。
【発明を実施するための形態】
【００１４】
［調光フィルム］
図１は、実施形態の調光フィルム１０を示す断面図である。調光フィルム１０は、例えば、調光を図る部位に貼り付けたり、合わせガラスに使用されたりして使用される。調光を図る部位に貼り付けて使用される場合とは、例えば車両のリアウインド、建築物の窓ガラス、ショーケース、屋内の透明パーテーション等に配置して透過、不透明を切り替える場合等である。
【００１５】
調光フィルム１０は、液晶を利用して透過光を制御する調光フィルムであり、フィルム形状である第２の積層体１３及び第１の積層体１２により液晶層１４を挟持して液晶セル１５が製造され、この液晶セル１５を直線偏光板１６、１７により挟持して作成される。
実施形態において、液晶層１４の駆動には、ＶＡ（Ｖｉｒｔｉｃａｌ  Ａｌｉｇｎｍｅｎｔ）方式が採用されるが、これに限定されず、ＴＮ（Ｔｗｉｓｔｅｄ  Ｎｅｍａｔｉｃ）方式、ＩＰＳ（Ｉｎ−Ｐｌａｃｅ−Ｓｗｉｔｃｈｉｎｇ）方式等、種々の駆動方式を適用することができる。
なお、ＶＡ方式は、液晶の配向を垂直配向と水平配向とで変化させて透過光を制御する方式であり、無電界時、液晶を垂直配向させることにより、液晶層１４を垂直配向層により挟持して液晶セル１５が構成され、電界の印加により液晶材料を水平配向させるように構成される。
【００１６】
調光フィルム１０には、液晶層１４の厚みを一定に保持するためのスペーサー２４が第１の積層体１２及び又は第２の積層体１３に設けられる。直線偏光板１６、１７には、それぞれ液晶セル１５側に光学補償に供する位相差フィルム１８、１９が設けられる。
積層体１２、１３は、それぞれ基材２１Ａ、２１Ｂに第１電極２２Ａ、第２電極２２Ｂ、配向層２３Ａ、２３Ｂを順次作成して形成される。なお位相差フィルム１８、１９は、必要に応じて省略してもよい。また調光フィルム１０は、ゲストホスト方式により製造してもよく、この場合、直線偏光板は必要に応じて液晶セルの一方、又は両方に配置される。
【００１７】
調光フィルム１０は、第１電極２２Ａ、第２電極２２Ｂの印加電圧を変化させることにより外来光の透過を制御し、透明状態と非透明状態とで状態を切り替えるように構成される。本実施形態では、いわゆるノーマリーブラックにより液晶層１４を駆動する例について説明するが、これに限らず、ノーマリーホワイトにより駆動するようにしてもよい。また、ＩＰＳ方式による場合、第１電極２２Ａ、第２電極２２Ｂは、配向層２３Ａ又は２３Ｂ側に纏めて製造されることは言うまでも無く、これに対応するように積層体１２、１３が構成されることになる。
なお、ノーマリーブラックとは、液晶に電圧がかかっていない時に透過率が最小となり、黒い画面になる構造である。ノーマリーホワイトとは、液晶に電圧がかかっていない時に透過率が最大となり、透明となる構造である。
【００１８】
なお、調光フィルム１０を、例えば、建築物の窓ガラス、ショーケース、屋内の透明パーテーション等に貼り付けて使用する場合、直線偏光板１６及び／又は１７の、液晶セル１５とは逆側の面に、ハードコート層等による保護層が設けられる。
【００１９】
［基材］
基材２１Ａ、２１Ｂは、液晶セル１５に適用可能な可撓性を有する各種の透明フィルム材を適用することができ、この実施形態では、両面にハードコート層が製造されてなるポリカーボネートによるフィルム材が適用される。
【００２０】
［電極］
第１電極２２Ａ、第２電極２２Ｂは、液晶層１４に電界を印加可能であって、透明と知覚される種々の構成を適用することができるが、本実施形態では、透明電極材であるＩＴＯ（Ｉｎｄｉｕｍ  Ｔｉｎ  Ｏｘｉｄｅ）による透明導電膜を基材２１Ａ、２１Ｂの全面に製造して形成される。上述したように、ＩＰＳ方式等においては、電極は所望の形状によりパターンニングされて製造される。
【００２１】
［配向層］
配向層２３Ａ、２３Ｂは、光配向層により形成される。光配向層に適用可能な光配向材料は、光配向の手法を適用可能な各種の材料を広く適用することができるが、本実施形態では、例えば光二量化型の材料を使用する。この光二量化型の材料については、「Ｍ．Ｓｃｈａｄｔ，  Ｋ．Ｓｃｈｍｉｔｔ，  Ｖ．  Ｋｏｚｉｎｋｏｖ  ａｎｄ  Ｖ．  Ｃｈｉｇｒｉｎｏｖ  ：  Ｊｐｎ．  Ｊ．  Ａｐｐｌ．Ｐｈｙｓ．，  ３１，  ２１５５  （１９９２）」、「Ｍ．  Ｓｃｈａｄｔ，  Ｈ．  Ｓｅｉｂｅｒｌｅ  ａｎｄ  Ａ．  Ｓｃｈｕｓｔｅｒ  ：  Ｎａｔｕｒｅ，  ３８１，  ２１２（１９９６）」等に開示されている。
【００２２】
光配向層に代えて、ラビング処理により製造してもよい。この場合、配向層２３Ａ、２３Ｂは、ポリイミド等の配向層に適用可能な各種材料層を製造した後、この材料層の表面にラビングロールを使用したラビング処理により微細なライン状凹凸形状を製造して形成される。
このようなラビング処理による配向層、光配向層に代えて、ラビング処理により製造した微細なライン状凹凸形状を賦型処理により製造して配向層を製造してもよい。
【００２３】
［スペーサー］
スペーサー２４は、液晶層１４の厚みを規定するために設けられ、各種の樹脂材料を広く適用することができるが、本実施形態ではフォトレジストにより製造される。スペーサー２４は、第２電極２２Ｂを製造してなる基材２１Ｂの上に、フォトレジストを塗工して露光、現像することにより製造される。なおスペーサー２４は、第１の積層体１２に設けるようにしてもよく、第１の積層体１２及び第２の積層体１３の双方に設けるようにしてもよい。またスペーサー２４は、配向層２３Ｂの上に設けるようにしてもよい。またスペーサーは、いわゆるビーズスペーサーを適用してもよい。
【００２４】
［液晶層］
液晶層１４は、この種の調光フィルムに適用可能な各種の液晶材料を広く適用することができる。具体的に、液晶層１４には、例えば、特開２００３−３６６４８４号に記載の液晶化合物を用いることができる。また、上市品としては、例えばメルク社製ＭＬＣ２１６６等の液晶材料を適用することができる。なお、ゲストホスト方式による場合、液晶層１４には、液晶材料と調光に供する色素とが混入されるものの、ゲストホスト方式について提案されている液晶材料と色素との混合物を広く適用することができる。液晶セル１５は、液晶層１４を囲むように、シール材２５が配置され、このシール材２５により液晶の漏出が防止される。ここでシール材２５は、例えばエポキシ樹脂、紫外線硬化性樹脂等を適用することができる。
【００２５】
［製造工程］
図２は、調光フィルム１０の製造工程を示すフローチャートである。液晶セル１５は、第２の積層体製造工程ＳＰ２において、第２の積層体１３が製造される。第２の積層体製造工程ＳＰ２においては、電極製造工程ＳＰ２−１において、基材２１Ｂにスパッタリング等によりＩＴＯによる第２電極２２Ｂが製造される。続くスペーサー製造工程ＳＰ２−２において、スペーサー２４に係る塗工液（フォトレジスト）を塗工した後、乾燥、露光して現像することにより、スペーサー２４が製造される。また続いて配向層製造工程ＳＰ２−３において、配向層２３Ｂに係る塗工液を塗工して乾燥した後、紫外線の照射により液晶分子配向方向を設定し、これにより配向層２３Ｂが製造される。これらによりこの実施形態では、第２の積層体１３が製造される。
【００２６】
調光フィルム１０の製造工程は、続く第１の積層体製造工程ＳＰ３において、第２の積層体製造工程ＳＰ２と同様にして、第１の積層体１２が製造される。すなわち第１の積層体製造工程ＳＰ３では、基材２１Ａにスパッタリング等によりＩＴＯによる第１電極２２Ａが製造され、配向層２３Ａに係る塗工液を塗工、乾燥した後、紫外線の照射により液晶分子配向方向を設定することにより配向層２３Ａが製造され、これらにより第１の積層体１２が製造される。
【００２７】
この製造工程は、続く液晶セル製造工程ＳＰ４において、ディスペンサを使用して枠形状によりシール材２５を塗工した後、この枠形状の部位に液晶材料を配置して第１の積層体１２、第２の積層体１３を積層押圧してシール材２５を紫外線の照射等により硬化させ、これにより液晶セル１５を製造する。なお液晶材料の配置にあっては、第１の積層体１２、第２の積層体１３を先に積層するようにして、第１の積層体１２、第２の積層体１３を積層して形成される空隙に配置するようにしてもよい。
【００２８】
調光フィルム１０は、続く積層工程ＳＰ５において、直線偏光板１６、１７と積層されて形成される。なお液晶セル１５は、基材２１Ａ、２１Ｂがロールに巻き取られた長尺フィルム形態により提供され、これら工程ＳＰ２〜ＳＰ５の全て、又はこれら工程ＳＰ２〜ＳＰ５のうちの一部が、ロールから基材２１Ａ、２１Ｂを引き出して搬送しながら実行される。なおこれにより液晶セル１５は、必要に応じて、途中の工程から一枚ずつの処理により各工程が実行されることになる。
【００２９】
［電圧印加］
図３は、第１電極２２Ａと第２電極２２Ｂとの間に加える電圧を説明する図である。第１電極２２Ａ及び第２電極２２Ｂは、これに限定されるわけではないが、本実施形態では長方形である。そして、第１電極２２Ａの長手方向の両端には、銀ペースト等により導電部２２１Ａ，２２２Ａが設けられている。第２電極２２Ｂの長手方向の両端には、銀ペースト等により導電部２２１Ｂ，２２２Ｂが設けられている。これらの導電部２２１Ａ，２２２Ａ，２２１Ｂ，２２２Ｂは、第１電極２２Ａ，第２電極２２Ｂの長手方向の端部において短手方向に延びている。
【００３０】
第１電極２２Ａの一端の導電部２２１Ａには、電源２０が取り付けられた給電部２０Ａが設けられ、給電部２０Ａより導電部２２１Ａに所定の電圧Ｅ０が加えられる。この電圧Ｅ０の大きさは電源２０を調整することにより可変である。なお、本実施形態では電圧は直流とするが、これに限定されず、交流であってもよい。
【００３１】
第２電極２２Ｂの一端の導電部２２１Ｂは、接地されている。第１電極２２Ａの他端の導電部２２２Ａには、三路スイッチ３０が接続されている。三路スイッチ３０により選択される一方の接点Ｐ１には、可変抵抗３１の一端が接続され、可変抵抗３１の他端は第２電極２２Ｂの他端の導電部２２２Ｂに接続されている。三路スイッチ３０により選択される他方の接点Ｐ２は、抵抗を介さずに、第２電極２２Ｂの他端の導電部２２２Ｂに接続されている。
なお、本実施形態では、このように第１電極２２Ａの他端の導電部２２２Ａが、三路スイッチ３０により、可変抵抗３１を介して第２電極２２Ｂの他端の導電部２２２Ｂに接続されている側と、可変抵抗３１を介さずに第２電極２２Ｂの他端の導電部２２２Ｂに接続されている側と、のいずれかに選択的に接続される形態について説明した。しかし本発明はこれに限定されない。
第１電極２２Ａの他端の導電部２２２Ａと第２電極２２Ｂの他端の導電部２２２Ｂとは、三路スイッチ３０を介さずに、例えば直接接触していてもよく、導電ペーストで貼り合わされていてもよく、導電線で接続、抵抗を介して接続または可変抵抗を介して接続されていてもよい。
【００３２】
第１電極２２Ａの導電部２２１Ａに電圧Ｅ０が加えられ、第２電極２２Ｂの導電部２２１Ｂがアースに接続されている場合の第１電極２２Ａ及び第２電極２２Ｂの電位の状態を図４に示す。
【００３３】
三路スイッチ３０が、接点Ｐ１及びＰ２のいずれとも接続されておらず、開いているときは、抵抗が無限大になるので、図４において点線で示すように、第１電極２２Ａは、電位Ｅ０で略一定であり、第２電極２２Ｂは電位０である。
三路スイッチ３０が、図３における接点Ｐ２に接続されている場合、抵抗値Ｒが略ゼロであるので、ＲＩ＝０となり、図４において一点鎖線で示すような形になる。
三路スイッチ３０が、図３における接点Ｐ１に接続されている場合、ＲＩは可変抵抗３１の抵抗値Ｒにより変化する。この可変抵抗３１の抵抗値Ｒは、例えば、つまみ等で調整可能である。可変抵抗３１の抵抗値Ｒが大きくなると、第１電極２２Ａの導電部２２２Ａと、第２電極２２Ｂの導電部２２２Ｂとの間の電位差ＲＩが大きくなる。可変抵抗の抵抗値Ｒが小さくなると、第１電極２２Ａの導電部２２２Ａと、第２電極２２Ｂの導電部２２２Ｂとの間の電位差ＲＩが小さくなる。
【００３４】
図示するように、第１電極２２Ａの電位Ｅ１（ｘ）は、一端側の導電部２２１Ａにおいて、給電されたＥ０であるが、他端側の導電部２２２Ａの方向に進むに従い下がる。
そして、導電部２２２Ａの位置（一端側から距離Ｌの位置）において、電位はＲＩ下がる（Ｒ：可変抵抗の抵抗値、Ｉ：可変抵抗を流れる電流）。
第２電極２２Ｂの他端側の導電部２２２Ｂの電位Ｅ２（ｘ）は、そのＲＩ下がった電位であり、そこから一端側の導電部２２１Ｂに向かう従い下がり、導電部２２１Ｂにおいて、電位０Ｖとなる。
【００３５】
第１電極２２Ａ及び第２電極２２Ｂの一端からの距離ｘの位置における、第１電極２２Ａの電位Ｅ１（ｘ）と第２電極２２Ｂの電位Ｅ２（ｘ）との間の電位差（電圧）Ｅ（ｘ）は以下のように表される。
Ｅ（ｘ）＝Ｅ１（ｘ）−Ｅ２（ｘ）・・・・・（１）
ここで、第１電極２２Ａの全長の抵抗値をＲ１、第２電極２２Ｂの全長の抵抗値をＲ２とすると、
Ｅ１（ｘ）＝Ｅ０−Ｒ１Ｉｘ／Ｌ・・・・・（２）
Ｅ２＝Ｒ２Ｉｘ／Ｌ・・・・・・・・・・・（３）
Ｅ０＝Ｉ（Ｒ＋Ｒ１＋Ｒ２）・・・・・・・・・（４）
であるので、
（１）を（２）〜（４）を代入等して変形すると、
Ｅ（ｘ）＝Ｅ０−Ｅ０｛（Ｒ１＋Ｒ２）／（Ｒ＋Ｒ１＋Ｒ２）｝ｘ／Ｌ
となる。
【００３６】
ここで、図５は、調光フィルム１０の透過率Ｔと、電位差Ｅ（ｘ）との関係を示したグラフである。液晶の傾きは、電位差Ｅ（ｘ）によって変化するので、調光フィルム１０の透過率Ｔは、図示するように電位差Ｅ（ｘ）の変化に応じて変化する。
【００３７】
本実施形態において、スイッチ３０を接点Ｐ１に接続すると、調光フィルム１０における第１電極２２Ａと第２電極２２Ｂとの間の電位差Ｅ（ｘ）は、長手方向の位置ｘによって、式（１）’のように変化する。したがって、調光フィルム１０の透過率Ｔを、長手方向に漸次変化させる（グラデーションを付ける，濃淡を付ける）ことができる。また、その変化の割合を、抵抗値Ｒを変えることにより変更し、グラデーションを所望の濃淡にすることができる。
【００３８】
また、図５に示すように、調光フィルム１０の透過率Ｔと電位差Ｅとの関係はリニアではなく、電位差Ｅ（ｘ）が０からＶ０までの間、透過率は０であり、Ｖ０を超えると急激に立ち上がり、Ｖ１を超えると徐々に傾きが緩やかになり、略一定となる。
すなわち、Ｖ０とＶ１との間において、透過率Ｔの変動が大きいので、図４に示す電位差Ｅ（ｘ）が、このＶ０からＶ１の範囲で変化するようにすることで、透過率Ｔをより大きく変動させることができる。すなわち、グラデーションの幅を大きくすることができ、換言すると、濃淡の幅を大きくすることができる。
【００３９】
すなわち、
Ｖ０≦Ｅ（ｘ）≦Ｖ１
であり、また、Ｅ（ｘ）は、Ｅ０−Ｅ０（Ｒ１＋Ｒ２）／（Ｒ＋Ｒ１＋Ｒ２）＝ＩＲとＥ０との間で変化するので、
ＩＲ≦Ｖ０＜Ｖ１≦Ｅ０
である。
【００４０】
これを変形すると、
Ｒ≦Ｖ０／Ｉ＝Ｖ０（Ｒ＋Ｒ１＋Ｒ２）／Ｅ０
Ｅ０Ｒ≦Ｖ０（Ｒ＋Ｒ１＋Ｒ２）
（Ｅ０−Ｖ０）Ｒ≦Ｖ０（Ｒ１＋Ｒ２）
Ｒ≦Ｖ０（Ｒ１＋Ｒ２）／（Ｅ０−Ｖ０）
従って、
０≦Ｒ≦Ｖ０（Ｒ１＋Ｒ２）／（Ｅ０−Ｖ０）
【００４１】
本実施形態によると、抵抗値Ｒをこの範囲にすることで、電圧の変化に対する透過率Ｔの変化量を大きくすることができ、調光フィルム１０における、面内のグラデーションの濃淡の幅を大きくすることができる。但し、抵抗値Ｒの範囲は上式に限定されるものではない。
【００４２】
（変形形態）
（１）以上、本発明の実施形態として、ＶＡ方式の液晶調光フィルムについて説明したが、本発明はこれに限定されず、電位差により調光量を調整できる他の方式であってもよい。
例えば、ＶＡ方式以外の液晶調光フィルムとして、ＴＮ方式（ｔｗｉｓｔｅｄ  Ｎｅｍａｔｉｃ  ｌｉｑｕｉｄ  ｃｒｙｓｔａｌ）を用いてもよい。ＴＮ方式は、調光フィルムは、電圧がＯＦＦのときは液晶分子が水平に並び、光を通過させて画面が「白」になる。徐々に電圧をかけていくと、液晶分子が垂直に立ち上がっていき、光をさえぎって画面が黒くなる方式である。
【００４３】
また、液晶以外を用いたものとして、例えば、ＥＣ方式、ＳＰＤ方式、ＰＤＬＣ方式調光フィルムであってもよい。
ＥＣ方式（Ｅｌｅｃｔｒｏ  ｃｈｒｏｍｉｃ）を用いた調光フィルムは、一対の電極で調光層（電解質層）を挟んだ構造を有する。電極間の電位差に応じ、酸化還元反応を利用して調光層の色が透明と濃紺との間で変化する。
ＳＰＤ方式（Ｓｕｓｐｅｎｄｅｄ  Ｐａｒｔｉｃｌｅ  Ｄｅｖｉｃｅ）を用いた調光フィルムは、微粒子の配向を利用し、通常濃紺色に着色しているが、電圧をかけると透明に変化し、電圧を切ると元の濃紺色に戻るものであり、電圧によって濃淡を調整できる。
ＰＤＬＣ方式（Ｐａｒｔｉｃｌｅ  Ｄｉｓｐｅｒｓｅｄ  Ｌｉｑｕｉｄ  Ｃｒｙｓｔａｌ）を用いた調光フィルムは、液晶層中に特殊なポリマーによるネットワーク構造体を形成させたもので、ポリマーネットワークの作用により、液晶分子の配列が不規則な状態を誘起して光を散乱させる。そして、電圧を印加することで、液晶分子を電界方向に配列させると、光が散乱されず、透明な状態となる。
調光フィルム
【００４４】
（２）本実施形態では、電圧を加えていない場合に透過率が低いノーマリーブラックについて説明したが、液晶の種類によっては、ノーマリーホワイトであってもよい。なお、上述のように、ノーマリーブラックとは、液晶に電圧がかかっていない時に透過率が最小となり、黒い画面になる構造である。ノーマリーホワイトとは、液晶に電圧がかかっていない時に透過率が最大となり、透明となる構造である。
【００４５】
（３）本実施形態では、矩形の電極の一辺から給電を行い、対向する他辺に三極スイッチを介して抵抗を接続したが、これに限定されない。例えば、給電は一辺の全体ではなく、一点から行っても良い。この場合、電位線は年輪状になる。
（４）また、矩形の電極の一辺から給電を行い、抵抗を接続する他辺は、対向する辺ではなく、隣接する辺であってもよい。さらには、給電を行う辺や、抵抗を接続する辺は、一辺ではなく二以上の辺であってもよい。
（５）本発明では、電極間に加える電流を直流としたが、これに限定されず交流でもよい。
【００４６】
なお、図３の第２導電部２２２Ｂをアースすると、第１電極２２Ａの電位勾配は存在するが、第２電極２２Ｂの電位勾配はなくなり一定の電圧（アース）となる。このような繋ぎ方をした場合に、斜め方向から見たときにグラデーションは付かないという現象が発生する。ただし、この場合であっても、正面方向から見た場合、面内でグラデーションを付けることがきる。
【００４７】
また、上述の実施形態では液晶セルを直線偏光板挟持して調光フィルムを構成する場合ついて述べたが、本発明はこれに限らず、ゲストホスト型液晶による液晶層を使用して直線偏光板を省略して調光フィルムを構成する場合にも広く適用することができる。
【００４８】
以上、本発明の実施に好適な具体的な構成を詳述したが、本発明は、本発明の趣旨を逸脱しない範囲で、上述の実施形態を種々に変更することができる。
【符号の説明】
【００４９】
１０    調光フィルム
１２    第１の積層体
１３    第２の積層体
１４    液晶層
１５    液晶セル
１６，１７    直線偏光板
１８，１９    位相差フィルム
２０    電源
２１Ａ，２１Ｂ    基材
２２Ａ    第１電極
２２Ｂ    第２電極
２３Ａ，２３Ｂ    配向層
２４    スペーサー
２５    シール材
３０    三路スイッチ
３１    可変抵抗
２２１Ａ，２２１Ｂ，２２２Ａ，２２２Ｂ    導電部
【図１】
2017227675.tif 000003
【図２】
2017227675.tif 000004
【図３】
2017227675.tif 000005
【図４】
2017227675.tif 000006
【図５】
2017227675.tif 000007
【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
互いに対向配置された第１の電極と第２の電極と、
前記第１の電極に設けられるとともに、前記第１の電極と前記第２の電極との間に電圧を加える給電部と、
前記第１の電極と前記第２の電極との間に配置され、前記第１の電極と前記第２の電極との間に加えられた前記電圧によって透過率を変化させる調光材料と、を備え、
前記給電部と異なる位置において、前記第１の電極と前記第２の電極とが電気的に接続され、
前記第１の電極と前記第２の電極との間には抵抗部材が配置され、
前記抵抗部材の抵抗値が可変である、調光フィルム。
【請求項２】
互いに対向配置された第１の電極と第２の電極と、
前記第１の電極に設けられるとともに、前記第１の電極と前記第２の電極との間に電圧を加える給電部と、
前記第１の電極と前記第２の電極との間に配置され、前記第１の電極と前記第２の電極との間に加えられた前記電圧によって透過率を変化させる調光材料と、を備え、
前記給電部と異なる位置において、前記第１の電極と前記第２の電極とが電気的に接続され、
前記第１の電極の一端側に前記給電部が設けられ、前記第１の電極の他端側と、前記第２の電極の他端側とが電気的に接続されている、調光フィルム。
【請求項３】
互いに対向配置された第１の電極と第２の電極と、
前記第１の電極に設けられるとともに、前記第１の電極と前記第２の電極との間に電圧を加える給電部と、
前記第１の電極と前記第２の電極との間に配置され、前記第１の電極と前記第２の電極との間に加えられた前記電圧によって透過率を変化させる調光材料と、を備え、
前記給電部と異なる位置において、前記第１の電極と前記第２の電極とが電気的に接続され、
前記給電部は、複数個所に設けられている、調光フィルム。
【請求項４】
互いに対向配置された第１の電極と第２の電極と、
前記第１の電極に設けられるとともに、前記第１の電極と前記第２の電極との間に電圧を加える給電部と、
前記第１の電極と前記第２の電極との間に配置され、前記第１の電極と前記第２の電極との間に加えられた前記電圧によって透過率を変化させる調光材料と、を備え、
前記給電部と異なる位置において、前記第１の電極と前記第２の電極とが電気的に接続され、
前記第１の電極と前記第２の電極とは、前記給電部と異なる複数個所において電気的に接続されている、調光フィルム。